(57)【特許請求の範囲】
【請求項１】
左右に支柱を有する箱形のケースに給油ポンプ、ポンプモータ、流量計、表示器及び各部の制御部を設け、前記流量計に給油ホースを接続した給油装置において、
前記ケースは、前記給油ポンプ、ポンプモータ、流量計を収納する下部ケースと前記表示器を収納する上部ケースとの間に空間が形成され、前記流量計は、左右の支柱間の前後の梁板間に設けた上面板の下部側に取付けられ、前記給油ポンプは流量計の下部側の支柱間に取付けられ、前記流量計には、流量に対応した機械的な回転出力を得る出力軸が前記上面板を貫通して上方の前記空間に突出され、該上面板上の凸部に取付けられた積算計に連結され、該積算計には、その下面に下側に突出され上面板に端部が貫通される係止部が設けられ、かつ上面板を貫通した前記係止部の端部がワイヤで封止されることを特徴とする給油装置。
【発明の詳細な説明】
【０００１】
【発明の属する技術分野】
本発明は、給油ポンプから伝わる振動の流量計への悪影響を防止するよう改良した給油装置に関するものである。
【０００２】
【従来の技術】
従来、給油所に設けられる地上設置型の給油装置において、ケース内には給油系統を構成する給油ポンプ、ポンプモータ及び流量計等が収納されている。例えば、特公平２−６０６００号公報には、下部ケース内において給油ポンプをポンプモータの上方に配置し、流量計を給油ポンプに直接に組み付けた給油装置が開示されている。また、この給油装置では、下部ケース内の流量計の上部に積算計が設けられている。
【０００３】
【発明が解決しようとする課題】
しかしながら、従来の給油装置において流量計を給油ポンプに直接に組み付けた場合には、給油ポンプの振動が流量計に直接に伝わり精度に悪影響を与えるおそれがあった。また、積算計が下部ケース内に収納されている場合には、積算計を見る必要があるときには下部ケースを覆うパネルを外す必要があり手間がかかることがあった。
【０００４】
そこで本発明は、給油ポンプの振動による流量計への悪影響を防止するとともに簡単に積算計を見ることができる給油装置を提供することを目的とする。
【０００５】
【課題を解決するための手段】
上記目的を達成するために、本発明の給油装置は左右に支柱を有する箱形のケースに給油ポンプ、ポンプモータ、流量計、表示器及び各部の制御部を設け、前記流量計に給油ホースを接続した給油装置において、前記ケースは、前記給油ポンプ、ポンプモータ、流量計を収納する下部ケースと前記表示器を収納する上部ケースとの間に空間が形成され、前記流量計は、左右の支柱間の前後の梁板間に設けた上面板の下部側に取付けられ、前記給油ポンプは流量計の下部側の支柱間に取付けられ、前記流量計には、流量に対応した機械的な回転出力を得る出力軸が前記上面板を貫通して上方の前記空間に突出され、該上面板上の凸部に取付けられた積算計に連結され、該積算計には、その下面に下側に突出され上面板に端部が貫通される係止部が設けられ、かつ上面板を貫通した前記係止部の端部がワイヤで封止されることを特徴とするものである。流量計が左右の支柱間の前後の梁板間に設けた上面板の下部側に取付けられ、給油ポンプが流量計の下部側の支柱間に取付けられていることで、給油ポンプの振動が流量計に直接に伝わることがなくなり、流量計の精度に悪影響を与えることがなくなる。また、パネルを外す必要なく積算計を常に見ることができ、雨水の悪影響を受けることがない点で好ましく、かつ係止部の端部がワイヤで封止されることが不正を防止する点で好ましい。
【０００７】
【発明の実施の形態】
以下、本発明を図示の一実施形態により具体的に説明する。図１乃至図４は本発明の実施形態による給油装置であり、図１は給油装置のパネルを外した内部構成を説明する正面図、図２は給油装置の正面図、図３は給油装置の側面図、図４は上面板部分を説明する斜視図、図５は上面板への積算計の取付け状態を説明する図である。
【０００８】
これらの図において、本発明の実施形態による給油装置１０は、例えばハイオクタン・ガソリン、レギュラー・ガソリン及び軽油等の複数の給油系統が設けられた地上設置型の装置であり、箱形のケース１１に給油ポンプ１２、ポンプモータ１３、流量計１４、表示器１５及び各部の制御部等が設けられ、流量計１４の吐出口にはそれぞれ配管を介して先端に給油ノズル１６を有する給油ホース１７が接続されている。給油ノズル１６は、ケース１１下部側の前面及び後面に設けられたパネル１８に形成されたノズル掛け１９に掛けられており、例えば顧客の自動車が給油所に到着すると、作業者が給油ノズル１６をノズル掛け１９から外し自動車の燃料タンクの給油口に挿入して給油を行う。
【０００９】
ケース１１は、左右に一対の支柱２１と、下部に図示しないアイランドにアンカーボルト等で固定するためのベッド２２とを有する箱形のフレーム構造からなり、給油系統等を収納する下部側の下部ケース２３と、その下部ケース２３上部の表示器１５や操作部等を収納する上部ケース２４と、左右一対の支柱２１上部間に設けられた給油ホース１７を接続するための配管を収納する頂部ケース２５とから構成されている。
【００１０】
下部ケース２３内の下部側には、それぞれ異なる系統の油を給油するための給油ポンプ１２（ａ，ｂ，ｃ）がコ字形に形成された台板２６上に取付けられており、かつ給油ポンプ１２（ａ，ｂ，ｃ）の上方には、それぞれ対応するポンプモータ１３（ａ，ｂ，ｃ）が配置されている。給油ポンプ１２の吸入口のケース１１下部側は、所定の空間が形成され、図示しない地下タンクの配管に吸込管２０（図１で点線で示す）を介して給油ポンプ１２に接続する作業が容易になるようになっている。これらの給油ポンプ１２、ポンプモータ１３及び台板２６は、組み付け作業が容易になるよう一体としてユニット化されている。また、下部ケース２３内のポンプモータ１３（ａ，ｂ，ｃ）の上部側には、それぞれ対応する流量計１４（ａ，ｂ，ｃ）が、下部ケース２３の上部を構成する梁板２７間に設けられた上面板３１の下部側に、支持板２８により取付けられている。流量計１４の上部側には、流量パルス発振器２９が設けられ、また流量に対応した機械的な回転出力を得る出力軸３０が上方に突出されている。出力軸３０は、下部ケース２３上部の前後の梁板２７間に取付けられた上面板３１を貫通しその上に配置された対応する積算計３２に連結されている。これらの流量計１４及び支持板２８等も組み付けが容易になるよう一体としてユニット化されている。そして、それぞれの給油ポンプ１２の吐出口は、吐出管３３及び流量制御バルブ３４を介して対応する流量計１４の流入口に接続されている。それぞれの流量計１４の吐出口は、一対の配管３５の一端部が接続され、配管３５の他端部側は下部ケース２３から左右の支柱２１を通って頂部ケース２５へ導かれている。
【００１１】
上部ケース２４は、下部ケース２３との間に積算計３２を配置する空間４３を介して設けられ、内部には各部を制御する制御部や電装部品等が設けられ、また前面及び後面の中央部には給油量を表示するための表示器１５が設けられ、その表示器１５の左側には操作部として給油量設定用等のキーボード３６と、その表示器３７と緊急停止ボタン３８等とが配置されている。
【００１２】
頂部ケース２５は、左右の支柱２１の上部間に設けられ、流量計１４にそれぞれ接続された一対の配管３５の他端部が左右の支柱２１側及びほぼ中央部側の前後に導かれ、それぞれの他端部にホース継手３９を介して給油ホース１７が接続されている。給油ホース１７はそれぞれホース継手３９の部分から吊り下げられ、地上に接する直前で上に吊り上げられ、給油ノズル１６がそれぞれ対応する位置のパネル１８に設けられたノズル掛け１９に掛けられるようになっている。
【００１３】
上面板３１は、図４及び図５に示すように、前後を下側にＬ字形に曲折したほぼ矩形板状で前後の梁板２７間に渡しボルト４２で固定することで取付けられている。そして、上面板３１の上部の空間４３に積算計３２が取付けられている。この積算計３２の下面の両側には、端部が尖った形状で棒状の樹脂で形成された係止部５０が下側に突出されている。上面板３１の積算計３２を取付けるための部分は、矩形状にやや上方に突出した凸部３１ａに形成され、その凸部３１ａに出力軸３０が貫通する孔３１ｂと位置決め用の突起部３１ｃと係止部５０が貫通する孔３１ｄが形成されている。積算計３２は、出力軸３０を連結する部分とその回転により駆動される計量表示部とからなり、その底面側を突起部３１ｃに係入するとともに孔３１ｂを合わせ、また係止部５０を孔３１ｄに貫通させて凸部３１ａ表面に当設させ、かつ出力軸３０の端部を連結して取付けられる。そして、孔３１ｄを貫通した係止部５０の端部は、互いに図示しない封止用のワイヤを掛け渡し、積算計３２の取り外しができないようにして不正を防止するようになっている。
【００１４】
上記構成の給油装置１０によれば、流量計１４が下部ケース２３の上部の梁板２７の下部側に、支持板２８により取付けられ、給油ポンプ１２に組み付けられていないため、給油ポンプ１２の振動が流量計１４に直接に伝わることがなくなり、流量計１４の精度に悪影響を与えることがなくなる。また、流量計１４の出力軸３０に連結される積算計３２は、下部ケース２３と上部ケース２４との間に形成された空間４３内に配置され、左右の支柱２１間の前後の梁板２７間に取付けた上面板３１の凸部３１ａ上に取付けられているため、パネル１８を外す必要なく積算計３２を常に見ることができ、また空間４３内に雨水が入っても上方に突出した凸部３１ａ上に取付けた積算計３２に悪影響を与えない。さらに、給油ポンプ１２、ポンプモータ１３及び台板２６が一体としてユニット化され、また流量計１４及び支持板２８等も一体としてユニット化されているため、組み付け作業が容易になり短時間にできる。
【００１５】
なお、上記実施形態の給油装置では、３つの給油系統が設けられた例を説明したが、１つの給油系統であっても、あるいは３つ以上の給油系統を有するものでもよい。また、積算計３２は、パネル１８を外さないでも常に見ることができる空間４３に配置されて、かつ上面板３１の上方に突出した凸部３１ａ上に取付けられていることが好ましく、その形状や大きさも実施形態に限定されない。
【００１６】
【発明の効果】
以上説明したように本発明の給油装置では、流量計が左右の支柱間の前後の梁板間に設けた上面板の下部側に取付けられ、給油ポンプが流量計の下部側の支柱間に取付けられているため、給油ポンプの振動が流量計に直接に伝わることがなくなり、流量計の精度に悪影響を与えることがなくなる。また、流量計の出力軸に連結される積算計が下部ケースと上部ケースとの間に形成された空間内に配置され、左右の支柱間の前後の梁板間に取付けた上面板に取付けられているため、パネルを外す必要なく積算計を常に見ることができる。
【図面の簡単な説明】
【図１】本発明の実施形態の給油装置のパネルを外した内部構成を説明する正面図である。
【図２】本発明の実施形態の給油装置の正面図である。
【図３】本発明の実施形態の給油装置の側面図である。
【図４】本発明の実施形態の上面板部分を説明する斜視図である。
【図５】本発明の実施形態の上面板への積算計の取付け状態を説明する図である。
【符号の説明】
１０  給油装置
１１  ケース
１２  給油ポンプ
１３  ポンプモータ
１４  流量計
１５  表示器
１６  給油ノズル
１７  給油ホース
１８  パネル
１９  ノズル掛け
２０  吸込管
２１  支柱
２３  下部ケース
２４  上部ケース
２５  頂部ケース
２６  台板
２７  梁板
２８  支持板
２９  流量パルス発信器
３０  出力軸
３１  上面板
３１ａ  凸部
３２  積算計
４３  空間
５０  係止部
【図１】
0003972222.tif 000002
【図２】
0003972222.tif 000003
【図３】
0003972222.tif 000004
【図４】
0003972222.tif 000005
【図５】
0003972222.tif 000006